(57)【要約】      （修正有）【課題】磁石を取り外すことができる磁石鋲を提供すると共に、磁石が動かないように固定されることにより特定の患部に一定の磁力線を当てることができる磁気装着具を提供する。【解決手段】磁気装着具１００は、貫通孔１１５を有し、使用者の身体の一部に巻き付けられて固定される帯体１１０と、貫通孔に差し込まれる軸部１２２ａ及び軸部に取り付けられ身体と帯体との間で固定される磁石１２１を有する磁気鋲と、を備える。【選択図】図４
0003206259.tif 000002
【実用新案登録請求の範囲】
【請求項１】
第１直径の開口を有する磁石と、
前記磁石を抑えるため前記第１直径より大きな抑え部と、前記第１直径と同等の第１外径を有し前記抑え部から伸びる第１軸部と、該第１外径と同じ又は前記第１外径よりも小さい第２外径を有し前記第１軸部と同軸の第２軸部を有する固定部と、
を備える磁気鋲。
【請求項２】
前記固定部は、前記第２軸部の先端に、前記第２外径よりも大きい第３外形を有するフック部を配置する請求項１に記載の磁気鋲。
【請求項３】
貫通孔を有し、使用者の身体の一部に巻き付けられて固定される帯体と、
請求項１又は請求項２に記載の磁気鋲と、
を備える磁気装着具。
【請求項４】
前記帯体は凸状に膨らんで前記使用者の土踏まずに固定される土踏まず部を有し、
前記貫通孔は前記土踏まず部に形成される請求項３に記載の磁気装着具。
【請求項５】
前記磁石は円環状に形成されて中心に前記第２軸部が貫通され、
前記磁気鋲は、前記磁石が前記帯体と前記抑え部とに挟まれることにより前記帯体に固定される請求項３又は請求項４に記載の磁気装着具。
【請求項６】
前記抑え部には穴が形成され、
前記磁石は前記穴を介して外部に露出する請求項３に記載の磁気装着具。
【請求項７】
前記抑え部の外径は、前記磁石の外径よりも小さい請求項３に記載の磁気装着具。
【請求項８】
前記帯体には前記貫通孔が複数形成され、
前記磁石は棒状の磁石であって両端に前記軸部が固定され、各前記軸部は異なる前記貫通孔に差し込まれる請求項３又は請求項４に記載の磁気装着具。
【考案の詳細な説明】
【技術分野】
【０００１】
本考案は、身体に磁力線を当てる磁気鋲及びその磁気鋲を有する磁気装着具に関する。
【背景技術】
【０００２】
磁力線は、人体に浸透して血液の循環を促進し、肩こりや腰痛等を改善することが知られている。このような磁力線を人体に浸透させるために、例えば、磁石を粘着テープ等で身体に貼り付けて磁力線を人体に当てる方法がある。しかし、粘着テープ等を肌に直接貼る場合には、かぶれ等の症状が起こる場合があり、人によっては使用し難い場合があった。これに対して、特許文献１では、サポータのポケットに２枚のシート状基材間に複数個の永久磁石を挟んだ磁石カードを挿入し、サポータを身体に装着することで、足裏に磁力線を当てて血行促進効果を得ることができる磁気サポータが示されている。
【先行技術文献】
【特許文献】
【０００３】
【特許文献１】実用新案登録第３１１２１４０号
【考案の概要】
【考案が解決しようとする課題】
【０００４】
しかし、特許文献１では、磁石がカード状に形成されているためどの部分から主に磁力線が出ているのかが分かり難くまた磁気が弱く、特定の患部に所定の磁力線を当てることが困難な場合がある。また、磁石と身体との間には、磁石カードの一部であるシート及びサポータが挟まれるため、シート及びサポータによって磁石の磁力線が遮られて身体の血行促進効果が弱くなることが懸念される。さらに、磁気サポータの装着中にサポータがずれること、及びサポータのポケット内で磁気カードが動き、磁石カードの装着がずれること等によって患部への磁力線の当たり方が変わり、血行促進効果にムラが出ることが懸念される。
【０００５】
そこで本考案は、磁石を取り外すことができる磁気鋲と共に、その磁気鋲が動かないように固定されることにより特定の患部に所定の磁力線を当てることができる磁気装着具を提供することを目的とする。
【課題を解決するための手段】
【０００６】
第１観点の磁気鋲は、第１直径の開口を有する磁石と、磁石を抑えるため第１直径より大きな抑え部、第１直径と同等の第１外径を有し抑え部から伸びる第１軸部、及び該第１外径と同じ又は第１外径よりも小さい第２外径を有し第１軸部と同軸の第２軸部を有する固定部と、備える。
また、固定部は、第２軸部の先端に、第２外径よりも大きい第３外形を有するフック部を配置する。
【０００７】
第２観点の磁気装着具は、貫通孔を有し、使用者の身体の一部に巻き付けられて固定される帯体と、上記記載の磁気鋲と、を備える。
また、磁石は円環状に形成されて中心に第２軸部が貫通され、磁気鋲は、磁石が帯体と抑え部とに挟まれることにより帯体に固定される。
【０００８】
さらに抑え部には穴が形成され、磁石は穴を介して外部に露出する。
また抑え部の外径は、磁石の外径よりも小さい。
さらに帯体には貫通孔が複数形成され、磁石は棒状の磁石であって両端に軸部が固定され、各軸部は異なる貫通孔に差し込まれる。
【考案の効果】
【０００９】
本考案の磁気鋲は、装着具に取付け取外しをすることができる。また、磁気装着具は磁石が動かないように固定されることにより特定の患部に所定の磁力線を当てることができる。
【図面の簡単な説明】
【００１０】
【図１】（ａ）は、足裏を装着部位とした磁気装着具１００の正面図である。  （ｂ）は、足裏を装着部位とした磁気装着具１００の側面図である。
【図２】（ａ）は、磁気装着具１００が装着された足裏の図である。  （ｂ）は、磁気装着具１００が装着された足の甲の図である。  （ｃ）は、磁気装着具１００が装着された足の側面図である。
【図３】（ａ）は、磁石１２１の斜視図である。  （ｂ）は、固定部１２２の側面図である。  （ｃ）は、磁気鋲１２０の側面図である。  （ｄ）は、磁気鋲１２０の上面図である。  （ｅ１）〜（ｅ３）は、磁石１２１の着磁方向を示した図である。
【図４】（ａ）は、帯体１１０の平面図である。  （ｂ）は、図４（ａ）のＢ−Ｂ断面図である。  （ｃ）は、図１（ａ）のＡ−Ａ断面図である。  （ｄ）は、磁気装着具１００Ｒを示した断面図である。
【図５】（ａ）は、帯体２１０の平面図である。  （ｂ）は、磁気装着具２００の平面図である。  （ｃ）は、磁気鋲２２０の斜視図である。
【図６】（ａ）は、磁気鋲３２０の斜視図である。  （ｂ）は、帯体３１０の拡大断面図である。  （ｃ）は、磁気装着具３００の拡大断面図である。
【図７】（ａ）は、帯体４１０の平面図である。  （ｂ）は、磁気鋲５２０の平面図である。  （ｃ）は、図７（ｂ）のＣ−Ｃ断面図である。  （ｄ）は、磁気装着具４００の平面図である。
【図８】（ａ）は、磁気装着具５００の平面図である。  （ｂ）は、磁気装着具５００ａの平面図である。
【図９】（ａ）は、磁気装着具６００の平面図である。  （ｂ）は、磁気装着具６００の側面図である。  （ｃ）は、帯体６１０ａの平面図である。  （ｄ）は、帯体６１０ａの平面図である。
【図１０】（ａ）は、磁石カバー６３０の上面図である。  （ｂ）は、図１０（ａ）のＤ−Ｄ断面図である。  （ｃ）は、固定部６２２の側面図である。  （ｄ）は、磁気鋲６２０及び磁石カバー６３０の断面図である。
【図１１】（ａ）は、磁気装着具７００の正面図である。  （ｂ）は、磁気装着具７００の概略展開図である。
【図１２】（ａ）は、磁気装着具８００の平面図である。  （ｂ）は、磁気装着具８００が使用されている状態が示された図である。
【考案を実施するための形態】
【００１１】
以下に、図面を参照して、本考案を適用した装着具の実施の形態を説明する。なお、本考案の範囲は以下の説明において特に本考案を限定する旨の記載がない限り、これらの形態に限られるものではない。
【００１２】
（第１実施形態）
＜磁気装着具１００の構成＞
図１（ａ）は、足裏を装着部位とした磁気装着具１００の正面図である。磁気装着具１００は、帯体１１０及び磁気鋲１２０を含んで構成されている。磁気装着具１００は、就寝時等に足裏に装着され、足裏に磁力線を当てることができる装着具である。帯体１１０は、帯体１１０を足に巻き付けることにより磁石及び磁石カバーが土踏まずにあてがわれる土踏まず部１１１及び磁気装着具１００を足に固定するためのバンド部１１２を有している。帯体１１０は、シリコン、ゴム、プラスチック等の樹脂又は、革、もしくは布繊維等の素材で形成されても良い。土踏まず部１１１には磁力を帯びる磁気鋲１２０が装着されており、バンド部１１２には磁気装着具１００を足に取り付けるための雄ホック１１３ａ及び雌ホック１１３ｂが形成されている。以下の説明では、バンド部１１２が伸びる方向をＸ軸方向、バンド部１１２の幅の方向をＹ軸方向、Ｘ軸及びＹ軸に垂直な方向をＺ軸方向として説明する。
【００１３】
図１（ｂ）は、足裏を装着部位とした磁気装着具１００の側面図である。磁気装着具１００の土踏まず部１１１は＋Ｚ軸方向に凸状に膨らんで形成されている。図１（ｂ）では、土踏まず部１１１の表面から突出しないように土踏まず部１１１に嵌め込まれている磁気鋲１２０が点線で示されている。磁気鋲１２０は身体の近くに配置されるように、磁気鋲１２０の＋Ｚ軸側の表面が土踏まず部１１１の表面と略同一面となるように配置されることが好ましい。
【００１４】
図２（ａ）は、磁気装着具１００が装着された足裏の図である。図２（ａ）に示されるように、磁気装着具１００では土踏まず部１１１が磁気装着具１１１を装着した人の土踏まずに当たるように装着される。
【００１５】
図２（ｂ）は、磁気装着具１００が装着された足の甲の図である。磁気装着具１００は、足の甲側で雄ホック１１３ａと雌ホック１１３ｂとが留められることにより、足に装着される。雄ホック１１３ａを複数取り付けて磁気装着具１００のサイズ調整（長さ調整）ができるようにすることもある。ホックの代わりに、菊穴（Eylet Work）、鳩目（Grommet）などでもよく、またサイズ調整は、ホック等以外のアジャスターや紐などを使ってもよい。
【００１６】
図２（ｃ）は、磁気装着具１００が装着された足の側面図である。図２（ｃ）に示されるように、磁気装着具１００は土踏まず部１１１が土踏まずにフィットするように足に装着される。そのため、磁気鋲１２０が足裏の患部に合うように足に装着された場合に、磁気装着具１００が足に装着された状態でずれにくく、患部に所定の磁力線を安定して当てることができる。
【００１７】
図３（ａ）は、磁石１２１の斜視図である。磁気鋲１２０は、磁力線を出す磁石１２１と磁石１２１を帯体１１０に固定する固定部１２２とを含んで構成される。磁石１２１は円環状に形成されており、中心には貫通孔１２１ａが形成される。磁石１２１は、例えば、外径ＭＯが２５ｍｍ±３０％に形成され、内径ＭＩが８ｍｍ±３０％に形成され、高さＭＨが５ｍｍ±３０％に形成される。また、磁石１２１は、例えばフェライト磁石、アルニコ磁石、希土類磁石、ボンド磁石等により形成され、身体に接触する部分の表面の最大磁束密度が３５ｍＴ以上２００ｍＴ以下になるように適切な磁束密度を有する磁石が選択される。
【００１８】
図３（ｂ）は、固定部１２２の側面図である。固定部１２２は、磁石１２１の貫通孔１２１ａに通される軸部１２２ａと、軸部１２２ａの＋Ｚ軸側の端に形成される抑え部１２２ｂと、軸部１２２ａの−Ｚ軸側の端に形成されるフック部１２２ｃと、を有している。抑え部１２２ｂは円盤状に形成され、外径ＦＯ１が磁石１２１の外径ＭＯと同じ大きさになるように形成される。軸部１２２ａは抑え部１２２ｂの中心から−Ｚ軸方向に伸び、外径ＦＯ２が磁石１２１の内径ＭＩよりも小さく形成される。軸部１２２ａは抑え部１２２ｂから磁石１２１の厚み分だけ、磁石１２１の内径ＭＩとほぼ同等の外形ＦＯ３で形成される。フック部１２２ｃの外径ＦＯ４は軸部１２２ａの外径ＦＯ２よりも大きく、外形ＦＯ３よりも小さくなるように形成される。固定部１２２に磁石１２１を入れる際に、フック部１２２ｃの外径ＦＯ４が磁石１２１の内径ＭＩよりも小さいため入れやすく、また軸部１２２ａの外形ＦＯ３が磁石１２１の内径ＭＩと同等なので、磁石１２１がＸＹ軸方向に動いたりしない。固定部１２２は、例えば、シリコン、ゴム、プラスチック等の樹脂又は金属で形成される。
【００１９】
図３（ｃ）は、磁気鋲１２０の側面図である。磁気鋲１２０は、磁石１２１の貫通孔１２１ａに軸部１２２ａが通されることにより形成される。磁気鋲１２０は、磁石１２１と固定部１２２とが密着され互いに固定された状態で用いることができる。また、磁気鋲１２０は、磁石１２１と固定部１２２とが別々に分かれた状態からフック部１２２ｃを磁石１２１の貫通孔１２１ａに通すことにより用いられても良い。この場合、１つの固定部１２２に対して磁力の強度等に応じて磁石１２１を変えて用いることができる。またこの場合、フック部１２２ｃを貫通孔１２１ａに通し易くするために、固定部１２２が柔軟性のある素材で形成されることが望ましい。また、フック部を柔軟性のある素材にすることにより、菊穴（Ｅｙｌｅｔ  Ｗｏｒｋ）、鳩目（Ｇｒｏｍｍｅｔ）などを施した帯体に装着することもできる。また、帯体のサイズ調整穴をフック部で留めることにより、サイズ調整機能を持たせることができる。
【００２０】
図３（ｄ）は、磁気鋲１２０の上面図である。抑え部１２２ｂには軸部１２２ａが接続される箇所を囲むようにＺ軸方向に貫通する複数の穴１２３が形成されており、穴１２３からは磁石１２１が露出している。磁気鋲１２０では、抑え部１２２ｂの＋Ｚ軸側の面に磁気装着具１００の使用者の身体の一部が接するが、抑え部１２２ｂに穴１２３が形成されることにより、磁石１２１の磁力線が抑え部１２２ｂで妨げられることが防がれている。穴１２３はデザインを施すことができる。
【００２１】
図３（ｅ１）から（ｅ３）は、磁石１２１の着磁方向を示した図である。図３（ｅ１）は、磁石１２１が、Ｚ軸方向にＳ極とＮ極とが二極化された図である。図３（ｅ２）は、磁石１２１が円周方向に多極化された図である。図３（ｅ３）は、磁石１２１が円周方向に内外周が多極化された図である。これらいずれの着磁方向であっても、磁力線が人体に浸透するが、（ｅ３）の着磁方向が一番磁力線が人体に浸透しやすい。
【００２２】
図４（ａ）は、帯体１１０の平面図である。帯体１１０の土踏まず部１１１は帯体１１０と一体成形することもできる。土踏まず部１１１のＸ軸方向の長さＢＸ及びＹ軸方向の長さＢＹは、例えば９０ｍｍ、或はφ４０ｍｍ〜φ９０ｍｍ等で形成される。また、バンド部１１２のＹ軸方向の幅及び帯体１１０のＸ軸方向の全体の長さは任意の長さに形成することができる。帯体１１０の土踏まず部１１１には磁気鋲１２０が嵌め込まれる凹部１１４が形成されており、凹部１１４の中心には帯体１１０を貫通する貫通孔１１５が形成されている。
【００２３】
図４（ｂ）は、図４（ａ）のＢ−Ｂ断面図である。凹部１１４の外径ＨＯは磁気鋲１２０の外径と略同じ大きさに形成され、貫通孔１１５の直径ＨＩは磁気鋲１２０の軸部１２２ａの外径ＦＯ２と略同じ大きさ又はこれよりも大きく形成される。
【００２４】
図４（ｃ）は、図１（ａ）のＡ−Ａ断面図である。図４（ｃ）は図４（ｂ）に示される帯体１１０に磁気鋲１２０を装着した状態が示されている。磁気鋲１２０の磁石１２１は、凹部１１４に配置され、磁石１２１の＋Ｚ軸側の面が抑え部１２２ｂにより帯体１１０側に抑えられることにより帯体１１０に固定される。また、軸部１２２ａが貫通孔１１５に通され、フック部１２２ｃが貫通孔１１５の下に引っ掛けられることにより、磁気鋲１２０が帯体１１０から容易に外れないように固定される。抑え部１２２ｂには穴１２３が形成されているため、磁石１２１の磁力線は、抑え部１２２ｂで大きく遮られることなく身体側に抜けることができる。
【００２５】
磁気装着具１００では、磁気鋲１２０が帯体１１０から取り外し可能に形成されており、磁気鋲１２０を磁力の異なる他の磁気鋲、又は後述される磁気鋲３２０等の突起を有する磁気鋲に交換することができる。これにより、症状に応じて様々な磁気鋲を使い分けることができる。また、磁気鋲１２０を帯体１１０から取り外すことができることにより、磁気鋲１２０及び帯体１１０の細かい部分まで洗い易く、磁気装着具１００を清潔に保つことができる。
【００２６】
また、磁気装着具１００では、土踏まず部１１１が土踏まずにフィットすることにより磁気装着具１００が足裏でずれにくく、磁石１２１が帯体１１０の凹部１２１に固定され軸部１２２ａが貫通孔１１５に固定されるため、磁気鋲１２０を土踏まず部１１１にしっかりと固定することができる。これにより、磁気装着具１００の装着時に磁気鋲１２０が患部からずれることが防がれ、所定の磁力線を安定して患部に当てることができる。
【００２７】
図４（ｄ）は、磁気装着具１００の変形例である磁気装着具１００Ｒを示した断面図である。帯体１１０は土踏まず部１１１とバンド部１１２とが一体に形成されていたが、磁気装着具１００Ｒは、土踏まず部１１１Ｒとバンド部１１２Ｒとがそれぞれ別に形成されている。磁気鋲１２０の軸部１２２ａが土踏まず部１１１Ｒの貫通孔１１５Ｒ及びバンド部１１２Ｒの貫通孔１１５Ｒに通され、フック部１２２ｃが貫通孔１１５の下に引っ掛けられることにより、磁気鋲１２０が帯体１１０Ｒから容易に外れないように固定される。これにより、土踏まず部１１１Ｒとバンド部１１２Ｒとが外れない。
【００２８】
（第２実施形態）
帯体及び磁気鋲は、様々な形状に形成されることができる。以下に、帯体及び磁気鋲の変形例について説明する。
【００２９】
＜帯体２１０の構成＞
図５（ａ）は、帯体２１０の平面図である。帯体２１０は、土踏まず部２１１及びバンド部１１２を含んで構成されている。土踏まず部２１１は、４つの凹部１１４及び４つの貫通孔１１５を有している点で土踏まず部１１１（図４（ａ）参照）とは異なっており、その他の構成は土踏まず部１１１と同じである。
【００３０】
図５（ｂ）は、磁気装着具２００の平面図である。磁気装着具２００は、帯体２１０と磁気鋲１２０とを含んで形成されている。図５（ｂ）では、２つの磁気鋲１２０が帯体２１０に装着されている状態が示されている。磁気装着具２００では、複数の磁気鋲１２０を装着させることにより、同時に複数の箇所に磁力線を当てることができるため好ましい。また、磁気装着具２００では、凹部１１４及び貫通孔１１５が複数の箇所に形成されているため、使用者の患部の位置に合わせて磁気鋲１２０の位置を調整できるため好ましい。
【００３１】
＜磁気鋲２２０の構成＞
図５（ｃ）は、磁気鋲２２０の斜視図である。磁気鋲２２０は磁石１２１と固定部２２２とを備えており、固定部２２２は軸部１２２ａ、抑え部２２２ｂ、及びフック部１２２ｃを有している。抑え部２２２ｂは、外径がＦＯ５の円盤状に形成されている。外形ＦＯ５は磁石１２１の外径ＭＯよりも小さく、磁石１２１の内径ＭＩよりも大きく形成されており、図５（ｃ）に示されるように、磁気鋲２２０は磁石１２１の外周が露出する。磁石では端の磁力が強くなるため、磁気鋲２２０では磁石１２１の端が露出されることにより磁石１２１の磁力を大きく遮ることなく用いることができるため好ましい。
【００３２】
＜磁気鋲３２０の構成＞
図６（ａ）は、磁気鋲３２０の斜視図である。磁気鋲３２０は磁石１２１と固定部３２２とを備えており、固定部３２２は軸部１２２ａ、抑え部３２２ｂ、及びフック部１２２ｃを有している。抑え部３２２ｂは、固定部３２２が磁石１２１と組み合わされた場合に＋Ｚ軸方向に突き出る突起が形成されるように凸状に形成されている。磁気鋲３２０は、例えば帯体１１０（図１（ｂ）参照）に取り付けられた場合に、土踏まず部１１１の表面から抑え部３２２ｂの一部が突き出て、使用者の身体の一部を押圧する。磁気鋲３２０では、凸状の抑え部３２２ｂが身体の一部を押すことにより使用者に指圧効果及びマッサージ効果を与えることができると共に、磁石１２１により使用者の身体に磁力線を当てることができる。
【００３３】
＜帯体３１０の構成＞
図６（ｂ）は、帯体３１０の拡大断面図である。帯体３１０はバンド部１１２と土踏まず部３１１とにより構成され、土踏まず部３１１には凹部１１４及び貫通孔３１５が形成されている。帯体３１０は、帯体１１０とは貫通孔の形状のみが異なっており、図６（ｂ）では、帯体１１０の図４（ｂ）の断面に相当する帯体３１０の部分断面図が示されている。帯体３１０の貫通孔３１５は、＋Ｚ軸側の開口の直径がＨＵに形成され、−Ｚ軸側の開口の直径がＨＵよりも小さいＨＬに形成されている。帯体３１０は、例えば柔軟性のあるゴム等の樹脂で形成され、軸部の直径が直径ＨＬよりも大きい磁気鋲が装着された場合に、磁気鋲を強く固定することができる。
【００３４】
＜磁気装着具３００の構成＞
図６（ｃ）は、磁気装着具３００の拡大断面図である。磁気装着具３００は、帯体３１０及び磁気鋲３２０を備えており、帯体３１０の凹部１１４及び貫通孔３１５に磁気鋲３２０が嵌め込まれることにより容易に動かないように固定されている。また、磁気装着具３００を使用する場合には、磁気鋲３２０が使用者の身体と帯体３１０とに挟まれるため、磁気鋲３２０が磁気装着具３００の使用中に外れることがない。磁気装着具３００は、磁気鋲３２０の凸状の抑え部３２２ｂが土踏まず部３１１の表面から突き出るように形成されており、凸状の抑え部３２２ｂが身体の一部を押すことにより使用者に指圧効果及びマッサージ効果を与えることができると共に、磁気鋲３２０自体の磁力により使用者の身体に磁力線を当てて血行促進を図ることができる。
【００３５】
＜帯体４１０の構成＞
図７（ａ）は、帯体４１０の平面図である。帯体４１０はバンド部１１２と土踏まず部４１１とにより構成され、土踏まず部４１１には凹部４１４及び貫通孔１１５が形成されている。凹部４１４は平面形状がＹ軸方向に長い長方形に形成されている。また、凹部４１４の＋Ｙ軸側及び−Ｙ軸側にはそれぞれ貫通孔１１５が形成されている。
【００３６】
＜磁気鋲５２０の構成＞
図７（ｂ）は、磁気鋲５２０の平面図である。磁気鋲５２０は、Ｙ軸方向に伸びる磁石５２１と、磁石５２１を保持する固定部５２２と、により構成されている。磁石５２１は略直方体に形成されており、固定部５２２は磁石５２１の＋Ｙ軸側及び−Ｙ軸側にそれぞれ取り付けられている。
【００３７】
図７（ｃ）は、図７（ｂ）のＣ−Ｃ断面図である。固定部５２２は、環状に形成される抑え部５２２ｂと、抑え部５２２ｂの−Ｚ軸側に取り付けられる軸部５２２ａと、を有している。抑え部５２２ｂは環状の中心に磁石５２１が通されることにより磁石５２１に取り付けられている。
【００３８】
＜磁気装着具４００の構成＞
図７（ｄ）は、磁気装着具４００の平面図である。磁気装着具４００は、帯体４１０と磁気鋲５２０とにより構成されている。軸部５２２ａが貫通孔１１５に挿入され、磁石５２１が凹部４１４に嵌め込まれることにより、磁気鋲５２０が帯体４１０に取り付けられている。磁気装着具４００では、磁石５２１がＺ軸方向に磁化されている場合には広い範囲に渡って身体に磁力線を当てることができ、磁石５２１がＹ軸方向に磁化されている場合には１つの磁気鋲５２０で磁石５２１の＋Ｙ軸側と−Ｙ軸側との離れた２箇所に同時に磁力線を当てることができる。
【００３９】
＜磁気装着具５００及び磁気装着具５００ａの構成＞
図８（ａ）は、人体の腰に装着する磁気装着具５００の平面図である。磁気装着具５００は腰に磁力線を当てるための装着具であり、磁気鋲１２０及び帯体５１０を含んで構成される。帯体５１０は、帯状に形成され、両端にマジックテープ（登録商標）等の面ファスナー５１３ａ、５１３ｂが形成されている。また、帯体５１０の中央には例えば８個の磁気鋲１２０が配置されている。
【００４０】
帯体５１０の中央には磁気鋲１２０を取り付けるための凹部１１４及び貫通孔１１５（図４（ｂ）参照）が形成されており、図８では磁気鋲１２０が帯体５１０の＋Ｚ軸側の面に取り付けられている状態が示されている。また、面ファスナー５１３ａは例えばフック状に起毛された面を有して帯体５１０の−Ｘ軸側の端の−Ｚ軸側の面に貼り付けられ、面ファスナー５１３ｂは例えばループ状に起毛された面を有して帯体５１０の＋Ｘ軸側の端の＋Ｚ軸側の面に貼り付けられている。磁気装着具５００は、磁気鋲１２０が腰の患部に当たるように腰回りに巻き付けられ、面ファスナー５１３ａ、５１３ｂにより腰回りに固定される磁気装着具である。
【００４１】
帯体５１０は例えばシリコン、ゴム、プラスチック等の樹脂又は布繊維等で形成される。
また、帯体５１０の中央の磁気鋲１２０を取り付ける領域のみがシリコン、ゴム、プラスチック等の樹脂で形成される。帯体５１０の両端が金属、革、又は布繊維等の素材で形成されても良い。帯体５１０に取り付けられる磁気鋲１２０は、患部の位置によって磁力線の強さが変えられても良い。また例えば、帯体５１０が３〜８ｍｍの穴を有する網でできており、帯体５１０の両端が布繊維で補強されていたら、磁気鋲１２０を任意の網の穴に配置することもできる。また、患部に指圧効果及びマッサージ効果を与えるために磁気鋲３２０のような突起のある磁気鋲が用いられても良い。さらに、腰の形状に合わせて、磁気鋲が取り付けられる帯体５１０の中央領域全体が、＋Ｚ軸方向に凸状に膨らむように形成されていても良い。
【００４２】
図８（ｂ）は、人体の腰に装着する磁気装着具５００ａの平面図である。磁気装着具５００ａは、磁気鋲１２０及び帯体５１０ａを含んで構成されている。帯体５１０ａは、帯体５１０と同様の材質により形成されるが、外形が帯体５１０とは異なっている。帯体５１０ａは、帯状に形成され、両端にマジックテープ（登録商標）等の面ファスナー５１３ａ、５１３ｂが形成されている。また、帯体５１０ａの中央には例えば８個の磁気鋲１２０が配置されている。磁気装着具５００ａでは、Ｙ軸方向に伸び４個の磁気鋲１２０から成る列が２列形成されている。
【００４３】
磁気装着具５００を装着した場合には磁気鋲１２０を腰回りに配置することができ、磁気装着具５００ａを装着した場合には磁気鋲１２０が背骨の両側に並ぶように配置することができる。このように磁気装着具５００及び磁気装着具５００ａでは、磁気鋲の取り付け位置を調整することで患部に近い場所に磁気鋲を配置することができるため好ましい。また、患部が複数個所に渡る場合でも、患部ごとに磁力線の強さ、突起の有無及び大きさ等を変えて対応することができるため好ましい。
【００４４】
＜磁気装着具６００の構成＞
図９（ａ）は、磁気装着具６００の平面図である。磁気装着具６００は、帯体６１０ａ、帯体６１０ｂ、磁気鋲６２０、及び磁石カバー６３０を含んで構成されている。磁気装着具６００は、雄ホック１１３ａ及び雌ホック１１３ｂを有しており、雄ホック１１３ａと雌ホック１１３ｂとが留められることにより足に取り付けられ、足裏に磁力線を当てることができる装着具である。磁気鋲６２０は、磁石１２１（図３（ａ）参照）と後述される固定部６２２（図１０（ｃ）参照）とにより形成されている。磁気装着具６００では、帯体６１０ａ及び帯体６１０ｂを足に巻き付けることにより、磁気鋲６２０が土踏まずにあてがわれる。
【００４５】
図９（ｂ）は、磁気装着具６００の側面図である。図９（ｂ）では、側面からは見えない磁気装着具６００の内側の部分が点線で示されている。磁気装着具６００では、帯体６１０ａ及び帯体６１０ｂは互いに独立しており、帯体６１０ａには帯体６１０ａをＹ軸方向に貫通する貫通孔６１５ａが形成され、帯体６１０ｂには帯体６１０ｂをＹ軸方向に貫通する貫通孔６１５ｂが形成されている。磁気装着具６００では帯体６１０ａと帯体６１０ｂとの一部が重ね合わされており、その合計厚さがＰＴとなっている。磁気鋲６２０は磁石カバー６３０に装着されることにより固定され、また、帯体６１０ａ及び帯体６１０ｂの重ね合わされた領域の貫通孔６１５ａ及び貫通孔６１５ｂに通されて帯体６１０ａ及び帯体６１０ｂを互いに固定している。
【００４６】
図９（ｃ）は、帯体６１０ａの平面図である。帯体６１０ａは、−Ｘ軸側の端に雄ホック１１３ａが取り付けられている。また、帯体６１０ａには複数の貫通孔６１５ａが形成されている。磁気装着具６００では、どの貫通孔６１５ａに磁気鋲６２０を差し込むかを選択することにより、磁気装着具６００の全体の長さを調節することができる。
【００４７】
図９（ｄ）は、帯体６１０ｂの平面図である。帯体６１０ｂには、＋Ｘ軸側の端に雌ホック１１３ｂが形成されており、−Ｘ軸側の端には貫通孔６１５ｂが形成されている。貫通孔６１５ｂは貫通孔６１５ａと同じ大きさに形成される。
【００４８】
図１０（ａ）は、磁石カバー６３０の上面図である。磁石カバー６３０の上面の外形は円形状に形成されている。また、磁石カバー６３０の中央には磁気鋲６２０が嵌め込まれる凹部６３４が形成されており、凹部６３４の中心には磁石カバー６３０を貫通する貫通孔６３５が形成されている。
【００４９】
図１０（ｂ）は、図１０（ａ）のＤ−Ｄ断面図である。凹部６３４の外径ＨＯは磁気鋲６２０の外径と略同じ大きさに形成され、貫通孔６３５の直径ＨＩは磁気鋲６２０の軸部６２２ａの外径ＦＯ２と略同じ大きさ又はこれよりも大きく形成される。
【００５０】
図１０（ｃ）は、固定部６２２の側面図である。磁気鋲６２０は、磁石１２１（図３（ａ）参照）と固定部６２２とにより形成されている。固定部６２２は、磁石１２１の貫通孔１２１ａに通される軸部６２２ａと、軸部６２２ａの＋Ｚ軸側の端に形成される抑え部１２２ｂと、軸部６２２ａの−Ｚ軸側の端に形成されるフック部１２２ｃと、を有している。抑え部１２２ｂは円盤状に形成され、外径ＦＯ１が磁石１２１の外径ＭＯ及び凹部６３４の内径ＨＯと略同じ大きさになるように形成される。軸部６２２ａは抑え部１２２ｂの中心から−Ｚ軸方向に伸び、外径がＦＯ２として形成される。外形ＦＯ２は、貫通孔６１５ａ及び貫通孔６１５ｂよりも小さい。また、フック部１２２ｃの外径ＦＯ４は軸部６２２ａの外径ＦＯ２、貫通孔６１５ａの内径、及び貫通孔６１５ｂの内径よりも大きく形成される。固定部６２２は、図３（ｂ）に示される固定部１２２とは軸部６２２ａの形状が異なり、他の部分は固定部１２２と同じに形成される。
【００５１】
図１０（ｄ）は、磁気鋲６２０及び磁石カバー６３０の断面図である。磁気鋲６２０は、軸部６２２ａが貫通孔６３５に通され、磁石カバー６３０の凹部６３４に嵌め込まれる。このとき、軸部６２２ａは磁石カバー６３０から長さＱＴだけ突き出ており、この長さＱＴは厚さＰＴ（図９（ｂ）参照）と略同じ大きさになっている。これにより、軸部６２２ａを貫通孔６１５ａ及び貫通孔６１５ｂに通してフック部１２２ｃを貫通孔６１５ｂに引っ掛けることにより、帯体６１０ａ、帯体６１０ｂ、磁石カバー６３０、及び磁気鋲６２０を互いに固定することができる。
【００５２】
磁気装着具６００では、足裏の磁力線を当てたい箇所を特定し、その箇所に磁気鋲６２０が当たるように帯体６１０ａ及び帯体６１０ｂの重ね合わせ位置を調整して装着することができる。また、磁石カバー６３０は、磁気鋲６２０を取り付ける際に磁気鋲６２０の表面を滑らかにすることができる。このような磁石カバーは、前述の磁気装着具５００、及び後述の磁気装着具７００及び磁気装着具８００等に用いられても良い。
【００５３】
＜磁気装着具７００の構成＞
図１１（ａ）は、磁気装着具７００の正面図である。磁気装着具７００は、ネックウォーマー７１０に磁気鋲１２０が取り付けられることにより構成されている。ネックウォーマー７１０は、雄ホック１１３ａと雌ホック１１３ｂとを備え、首に巻いて雄ホック１１３ａと雌ホック１１３ｂとを留めることにより首に固定する。ネックウォーマー７１０には複数の磁気鋲１２０が備え付けられているが、以下の説明では、首に磁力線を当てるための磁気鋲１２０を磁気鋲１２０ａとし、肩に磁力線を当てるための磁気鋲１２０を磁気鋲１２０ｂとして説明する。図１１（ａ）では、ネックウォーマー７１０の内側に配置される磁気鋲１２０ｂが点線で示されている。
【００５４】
図１１（ｂ）は、磁気装着具７００の概略展開図である。図１１（ｂ）では、図１１（ａ）のネックウォーマー７１０の内側が示されている。ネックウォーマー７１０の首に当たる部分には、４個の磁気鋲１２０ａが取り付けられている。また、ネックウォーマー７１０の肩に当たる部分には、左右にそれぞれ２個の磁気鋲１２０ｂが取り付けられている。磁気鋲１２０の取り付けでは、ネックウォーマー７１０の内側に複数の磁気鋲１２０を取り付けるための穴が形成され、又はネックウォーマー７１０の内側が多数の穴を有する網状に形成されることにより、磁気鋲１２０を取り付けることができる。
【００５５】
磁気装着具７００では首及び肩に当たる部分の周囲に磁気鋲１２０を取り付けることができる。また、磁気装着具７００を装着することにより睡眠中及び外出中等に装着者に大きな負担を与えること無く患部に磁力線を当てることができる。
【００５６】
＜磁気装着具８００の構成＞
図１２（ａ）は、磁気装着具８００の平面図である。磁気装着具８００は、枕カバー８１０に磁気鋲１２０が取り付けられることにより構成されている。図１２（ａ）では、枕カバー８１０の首に当たる部分に磁気鋲１２０ａが取り付けられ、枕カバー８１０の肩に当たる部分に磁気鋲１２０ｂが取り付けられている状態が示されている。
【００５７】
図１２（ｂ）は、磁気装着具８００が使用されている状態が示された図である。人の頭９１０が磁気装着具８００の中央付近に載せられ、磁気鋲１２０ａが人の首９２０の付近に配置されている状態が示されている。磁気装着具８００では、人の睡眠中に磁気装着具８００を使用する者に負担を感じさせることなく患部に磁力線を当てることができる。
【００５８】
以上、本考案の最適な実施形態について詳細に説明したが、当業者に明らかなように、本考案はその技術的範囲内において実施形態に様々な変更・変形を加えて実施することができる。また、各実施形態の特徴を様々に組み合わせて実施されてもよい。例えば、本実施形態では、足裏、腰、又は首から肩に装着する磁気装着具を例示したが、人体の膝、肘などに装着する磁気装着具にも適用できる。
【符号の説明】
【００５９】
１００、２００、３００、４００、５００、５００ａ、６００、７００、８００  …  磁気装着具
１１０、２１０、３１０、４１０、６１０ａ、６１０ｂ  …  帯体
１１１、２１１、３１１、４１１  …  土踏まず部
１１２  …  バンド部
１１３ａ  …  雄ホック
１１３ｂ  …  雌ホック
１１４、４１４、６３４  …  凹部
１１５、３１５、６１５、６３５  …  貫通孔
１２０、１２０ａ、１２０ｂ、２２０、３２０、５２０、６２０  …  磁気鋲
１２１、５２１  …  磁石
１２１ａ  …  貫通孔
１２２、２２２、３２２、５２２  …  固定部
１２２ａ、４２２ａ、５２２ａ、６２２ａ  …  軸部
１２２ｂ、２２２ｂ、３２２ｂ、５２２ｂ  …  抑え部
１２２ｃ  …  フック部
１２３  …  穴
４２１ａ  …  胴体部
４２１ｂ  …  凸部
５１３ａ、５１３ｂ  …  面ファスナー
６３０  …  磁石カバー
７１０  …  ネックウォーマー
８１０  …  枕カバー
９１０  …  人の頭
９２０  …  人の首
ＢＸ  …  土踏まず部１１１のＸ軸方向の長さ
ＢＹ  …  土踏まず部１１１のＹ軸方向の長さ
ＦＯ１  …  抑え部１２２ｂの外径
ＦＯ２  …  軸部１２２ａの外径
ＦＯ３  …  軸部１２２ａで磁石内径と接する領域の外径
ＦＯ４  …  フック部１２２ｃの外径
ＦＯ５  …  抑え部２２２ｂの外径
ＨＯ  …  凹部１４４の外径
ＨＩ  …  貫通孔１１５の直径
ＨＬ  …  貫通孔３１５の−Ｚ軸側の開口の直径
ＨＵ  …  貫通孔３１５の＋Ｚ軸側の開口の直径
ＭＨ  …  磁石１２１の高さ
ＭＩ  …  磁石１２１の内径
ＭＯ  …  磁石１２１の外径
ＰＴ  …  帯体６１０ａ及び帯体６１０ｂの合計厚さ
ＱＴ  …  軸部６２２ａが磁石カバー６３０から突き出た長さ
【図１】
0003206259.tif 000003
【図２】
0003206259.tif 000004
【図３】
0003206259.tif 000005
【図４】
0003206259.tif 000006
【図５】
0003206259.tif 000007
【図６】
0003206259.tif 000008
【図７】
0003206259.tif 000009
【図８】
0003206259.tif 000010
【図９】
0003206259.tif 000011
【図１０】
0003206259.tif 000012
【図１１】
0003206259.tif 000013
【図１２】
0003206259.tif 000014